(57)【要約】本願の実施例は、信号を伝送する方法、端末機器及びネットワーク機器を開示し、該方法は、端末機器が第１の信号を運ぶための第１の時間周波数リソースを確定し、該第１の信号が、対応するチャネル又は信号に対して行われる検出処理を指示するためのものであり、該第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属することと、該端末機器が該第１の時間周波数リソースにおいて第１の信号を受信することと、を含む。本願の実施例の方法、端末機器及びネットワーク機器は、よりよい後方互換性を維持することができ、かつ、省エネ信号に類似する第１の信号が配置されているリソースの端末機器によるレートマッチングを容易にする。【選択図】図３
2021533628.tif 000002
【特許請求の範囲】
【請求項１】
信号を伝送する方法であって、
端末機器が第１の信号を運ぶための第１の時間周波数リソースを確定し、前記第１の信号が、対応するチャネル又は信号に対して行われる検出処理を指示するためのものであり、前記第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属することと、
前記端末機器が前記第１の時間周波数リソースで第１の信号を受信することと、を含むことを特徴とする信号を伝送する方法。
【請求項２】
前記第１の時間周波数リソースは、前記ＣＳＩ−ＲＳリソースセットにおける１つのＣＳＩ−ＲＳリソース、複数のＣＳＩ−ＲＳリソース又は少なくとも１つのＣＳＩ−ＲＳリソースの一部を含み、又は前記第１の時間周波数リソースは、前記ＳＳＢリソースセットにおける１つのＳＳＢリソース、複数のＳＳＢリソース又は少なくとも１つのＳＳＢリソースの一部を含むことを特徴とする請求項１に記載の方法。
【請求項３】
前記端末機器が第１の信号を運ぶための第１の時間周波数リソースを確定することは、
前記端末機器がネットワーク機器によって送信された指示情報を受信し、前記指示情報が前記第１の時間周波数リソースを指示するためのものであることと、
前記端末機器が前記指示情報に基づき、前記第１の時間周波数リソースを確定することと、を含むことを特徴とする請求項１又は請求項２に記載の方法。
【請求項４】
前記端末機器が第１の信号を運ぶための第１の時間周波数リソースを確定することは、
前記端末機器がネットワーク機器によって送信された第１の信号を運ぶためのリソースの構成情報を受信することと、
前記端末機器が第１の信号と対応する受信ウィンドウとの間の時間間隔に基づき、第１の信号が配置されている時間単位を確定することと、
前記端末機器が前記時間単位内の前記構成情報によって指示されたリソースを前記第１の時間周波数リソースとして確定することと、を含むことを特徴とする請求項１又は請求項２に記載の方法。
【請求項５】
前記方法はさらに、
前記端末機器が前記端末機器の能力に基づき、前記時間間隔を確定することを含むことを特徴とする請求項４に記載の方法。
【請求項６】
前記第１の信号は、対応するタイムウィンドウにおいてチャネル又は信号を検出するように指示するためのものであり、又は前記第１の信号は、対応するタイムウィンドウにおいてチャネル又は信号を検出しないように指示するためのものであることを特徴とする請求項１〜請求項５のいずれか１項に記載の方法。
【請求項７】
前記方法は、さらに、
前記端末機器が前記対応するタイムウィンドウにおいてチャネル又は信号を検出すること、又は
前記端末機器が前記対応するタイムウィンドウにおいてチャネル又は信号を検出しないことを含むことを特徴とする請求項６に記載の方法。
【請求項８】
前記タイムウィンドウは、不連続受信ＤＲＸのオンしているウィンドウ、ページング機会ＰＯ、ＰＤＣＣＨサーチスペース又はチャネル伝送機会ウィンドウを含むことを特徴とする請求項６又は請求項７に記載の方法。
【請求項９】
前記第１の信号は、ネットワーク機器がチャネル伝送機会を取得するように指示するためのものであることを特徴とする請求項１〜請求項５のいずれか１項に記載の方法。
【請求項１０】
前記方法は、さらに、
前記端末機器が前記第１の信号を受信した後に、第１のサイクルでチャネル又は信号を検出し、前記第１のサイクルが前記第１の信号を受信した前にチャネル又は信号を検出するサイクルより小さいサイクルであることを含むことを特徴とする請求項９に記載の方法。
【請求項１１】
前記第１の時間周波数リソースにおいて、第１の信号を運ぶリソースは、周波数ドメインで連続するサブキャリアを占有することを特徴とする請求項１〜請求項１０のいずれか１項に記載の方法。
【請求項１２】
前記第１の時間周波数リソースにおいて、第１の信号を運ぶリソースが周波数ドメインで占有したサブキャリアと第２の信号が占有したサブキャリアとの間には、保護間隔があることを特徴とする請求項１１に記載の方法。
【請求項１３】
前記第１の信号は、ＣＳＩ−ＲＳ及び／又は同期信号ブロックＳＳＢと準コロケーションであることを特徴とする請求項１〜請求項１２のいずれか１項に記載の方法。
【請求項１４】
前記第１の時間周波数リソースは、前記ＣＳＩ−ＲＳリソースセットに属し、前記第１の時間周波数リソースの位置は、ポート数、コード分割多重ＣＤＭのタイプ、密度、リソース要素ＲＥ位置及びサイクルという情報の少なくとも１種類によってキャラクタリゼーションされることを特徴とする請求項１〜請求項１３のいずれか１項に記載の方法。
【請求項１５】
前記第１の時間周波数リソースは、前記ＳＳＢリソースセットに属し、前記第１の時間周波数リソースの位置は、周波数ドメイン位置、時間ドメイン位置及びサイクルという情報の少なくとも１種類によってキャラクタリゼーションされることを特徴とする請求項１〜請求項１３のいずれか１項に記載の方法。
【請求項１６】
信号を伝送する方法であって、
ネットワーク機器が第１の信号を運ぶための第１の時間周波数リソースを確定し、前記第１の信号が、端末機器による対応するチャネル又は信号に対して行われる検出処理を指示するためのものであり、前記第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属することと、
前記ネットワーク機器が前記第１の時間周波数リソースで第１の信号を前記端末機器へ送信することと、を含むことを特徴とする信号を伝送する方法。
【請求項１７】
前記第１の時間周波数リソースは、前記ＣＳＩ−ＲＳリソースセットにおける１つのＣＳＩ−ＲＳリソース、複数のＣＳＩ−ＲＳリソース又は少なくとも１つのＣＳＩ−ＲＳリソースの一部を含み、又は前記第１の時間周波数リソースは、前記ＳＳＢリソースセットにおける１つのＳＳＢリソース、複数のＳＳＢリソース又は少なくとも１つのＳＳＢリソースの一部を含むことを特徴とする請求項１６に記載の方法。
【請求項１８】
前記方法はさらに、
前記ネットワーク機器が指示情報を前記端末機器へ送信し、前記指示情報が前記第１の時間周波数リソースを指示するためのものであることを含むことを特徴とする請求項１６又は請求項１７に記載の方法。
【請求項１９】
前記方法は、さらに、
前記ネットワーク機器が第１の信号を運ぶためのリソースの構成情報を前記端末機器へ送信することを含むことを特徴とする請求項１６又は請求項１７に記載の方法。
【請求項２０】
前記第１の信号は、前記端末機器が対応するタイムウィンドウにおいてチャネル又は信号を検出するように指示するためのものであり、又は前記第１の信号は、前記端末機器が対応するタイムウィンドウにおいてチャネル又は信号を検出しないように指示するためのものであることを特徴とする請求項１６〜請求項１９のいずれか１項に記載の方法。
【請求項２１】
前記タイムウィンドウは、不連続受信ＤＲＸのオンしているウィンドウ、ページング機会ＰＯ、ＰＤＣＣＨサーチスペース又はチャネル伝送機会ウィンドウを含むことを特徴とする請求項２０に記載の方法。
【請求項２２】
前記第１の信号は、前記ネットワーク機器がチャネル伝送機会を取得するように指示するためのものであることを特徴とする請求項１６〜請求項２１のいずれか１項に記載の方法。
【請求項２３】
前記第１の時間周波数リソースにおいて、第１の信号を運ぶリソースは、周波数ドメインで連続するサブキャリアを占有することを特徴とする請求項１６〜請求項２２のいずれか１項に記載の方法。
【請求項２４】
前記第１の時間周波数リソースにおいて、第１の信号を運ぶリソースが周波数ドメインで占有したサブキャリアと第２の信号が占有したサブキャリアとの間には、保護間隔があることを特徴とする請求項２３に記載の方法。
【請求項２５】
前記第１の信号は、ＣＳＩ−ＲＳ及び／又は同期信号ブロックＳＳＢと準コロケーションであることを特徴とする請求項１６〜請求項２４のいずれか１項に記載の方法。
【請求項２６】
前記第１の時間周波数リソースは、前記ＣＳＩ−ＲＳリソースセットに属し、前記第１の時間周波数リソースの位置は、ポート数、コード分割多重ＣＤＭのタイプ、密度、リソース要素ＲＥ位置及びサイクルという情報の少なくとも１種類によってキャラクタリゼーションされることを特徴とする請求項１６〜請求項２５のいずれか１項に記載の方法。
【請求項２７】
前記第１の時間周波数リソースは、前記ＳＳＢリソースセットに属し、前記第１の時間周波数リソースの位置は、周波数ドメイン位置、時間ドメイン位置及びサイクルという情報の少なくとも１種類によってキャラクタリゼーションされることを特徴とする請求項１６〜請求項２５のいずれか１項に記載の方法。
【請求項２８】
端末機器であって、前記端末機器は、
第１の信号を運ぶための第１の時間周波数リソースを確定するための処理ユニットであって、前記第１の信号が、対応するチャネル又は信号に対して行われる検出処理を指示するためのものであり、前記第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属する処理ユニットと、
前記第１の時間周波数リソースで第１の信号を受信するためのトランシーバユニットと、を含むことを特徴とする端末機器。
【請求項２９】
前記第１の時間周波数リソースは、前記ＣＳＩ−ＲＳリソースセットにおける１つのＣＳＩ−ＲＳリソース、複数のＣＳＩ−ＲＳリソース又は少なくとも１つのＣＳＩ−ＲＳリソースの一部を含み、又は前記第１の時間周波数リソースは、前記ＳＳＢリソースセットにおける１つのＳＳＢリソース、複数のＳＳＢリソース又は少なくとも１つのＳＳＢリソースの一部を含むことを特徴とする請求項２８に記載の端末機器。
【請求項３０】
前記トランシーバユニットはさらに、
ネットワーク機器によって送信された指示情報を受信するためのものであり、前記指示情報が前記第１の時間周波数リソースを指示するためのものであり、
前記処理ユニットは、具体的に、
前記端末機器が前記指示情報に基づき、前記第１の時間周波数リソースを確定するためのものであることを特徴とする請求項２８又は請求項２９に記載の端末機器。
【請求項３１】
前記トランシーバユニットは、さらに、
ネットワーク機器によって送信された第１の信号を運ぶためのリソースの構成情報を受信するためのものであり、
前記処理ユニットは、具体的に、
第１の信号と対応する受信ウィンドウとの間の時間間隔に基づき、第１の信号が配置されている時間単位を確定すること、及び
前記時間単位内の前記構成情報によって指示されたリソースを前記第１の時間周波数リソースとして確定することに用いられることを特徴とする請求項２８又は請求項２９に記載の端末機器。
【請求項３２】
前記処理ユニットはさらに、
前記端末機器の能力に基づき、前記時間間隔を確定するためのものであることを特徴とする請求項３１に記載の端末機器。
【請求項３３】
前記第１の信号は、対応するタイムウィンドウにおいてチャネル又は信号を検出するように指示するためのものであり、又は前記第１の信号は、対応するタイムウィンドウにおいてチャネル又は信号を検出しないように指示するためのものであることを特徴とする請求項２８〜請求項３２のいずれか１項に記載の端末機器。
【請求項３４】
前記処理ユニットは、さらに、
前記対応するタイムウィンドウにおいてチャネル又は信号を検出するか、又は
前記対応するタイムウィンドウにおいてチャネル又は信号を検出しないためのものであることを特徴とする請求項３３に記載の端末機器。
【請求項３５】
前記タイムウィンドウは、不連続受信ＤＲＸのオンしているウィンドウ、ページング機会ＰＯ、ＰＤＣＣＨサーチスペース又はチャネル伝送機会ウィンドウを含むことを特徴とする請求項３３又は請求項３４に記載の端末機器。
【請求項３６】
前記第１の信号は、ネットワーク機器がチャネル伝送機会を取得するように指示するためのものであることを特徴とする請求項２８〜請求項３２のいずれか１項に記載の端末機器。
【請求項３７】
前記処理ユニットは、さらに、
前記第１の信号を受信した後に、第１のサイクルでチャネル又は信号を検出するためのものであり、前記第１のサイクルが前記第１の信号を受信した前にチャネル又は信号を検出するサイクルより小さいサイクルであることを特徴とする請求項３６に記載の端末機器。
【請求項３８】
前記第１の時間周波数リソースにおいて、第１の信号を運ぶリソースは、周波数ドメインで連続するサブキャリアを占有することを特徴とする請求項２８〜請求項３７のいずれか１項に記載の端末機器。
【請求項３９】
前記第１の時間周波数リソースにおいて、第１の信号を運ぶリソースが周波数ドメインで占有したサブキャリアと第２の信号が占有したサブキャリアとの間には、保護間隔があることを特徴とする請求項３８に記載の端末機器。
【請求項４０】
前記第１の信号は、ＣＳＩ−ＲＳ及び／又は同期信号ブロックＳＳＢと準コロケーションであることを特徴とする請求項２８〜請求項３９のいずれか１項に記載の端末機器。
【請求項４１】
前記第１の時間周波数リソースは、前記ＣＳＩ−ＲＳリソースセットに属し、前記第１の時間周波数リソースの位置は、ポート数、コード分割多重ＣＤＭのタイプ、密度、リソース要素ＲＥ位置及びサイクルという情報の少なくとも１種類によってキャラクタリゼーションされることを特徴とする請求項２８〜請求項４０のいずれか１項に記載の端末機器。
【請求項４２】
前記第１の時間周波数リソースは、前記ＳＳＢリソースセットに属し、前記第１の時間周波数リソースの位置は、周波数ドメイン位置、時間ドメイン位置及びサイクルという情報の少なくとも１種類によってキャラクタリゼーションされることを特徴とする請求項２８〜請求項４０のいずれか１項に記載の端末機器。
【請求項４３】
ネットワーク機器であって、前記ネットワーク機器は、
第１の信号を運ぶための第１の時間周波数リソースを確定するための処理ユニットであって、前記第１の信号が、端末機器による対応するチャネル又は信号に対して行われる検出処理を指示するためのものであり、前記第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属する処理ユニットと、
前記第１の時間周波数リソースで第１の信号を前記端末機器へ送信するためのトランシーバユニットと、を含むことを特徴とするネットワーク機器。
【請求項４４】
前記第１の時間周波数リソースは、前記ＣＳＩ−ＲＳリソースセットにおける１つのＣＳＩ−ＲＳリソース、複数のＣＳＩ−ＲＳリソース又は少なくとも１つのＣＳＩ−ＲＳリソースの一部を含み、又は前記第１の時間周波数リソースは、前記ＳＳＢリソースセットにおける１つのＳＳＢリソース、複数のＳＳＢリソース又は少なくとも１つのＳＳＢリソースの一部を含むことを特徴とする請求項４３に記載のネットワーク機器。
【請求項４５】
前記ネットワーク機器はさらに、
前記ネットワーク機器が指示情報を前記端末機器へ送信し、前記指示情報が前記第１の時間周波数リソースを指示するためのものであることを含むことを特徴とする請求項４３又は請求項４４に記載のネットワーク機器。
【請求項４６】
前記ネットワーク機器は、さらに、
前記ネットワーク機器が第１の信号を運ぶためのリソースの構成情報を前記端末機器へ送信することを含むことを特徴とする請求項４３又は請求項４４に記載のネットワーク機器。
【請求項４７】
前記第１の信号は、前記端末機器が対応するタイムウィンドウにおいてチャネル又は信号を検出するように指示するためのものであり、又は前記第１の信号は、前記端末機器が対応するタイムウィンドウにおいてチャネル又は信号を検出しないように指示するためのものであることを特徴とする請求項４３〜請求項４６のいずれか１項に記載のネットワーク機器。
【請求項４８】
前記タイムウィンドウは、不連続受信ＤＲＸのオンしているウィンドウ、ページング機会ＰＯ、ＰＤＣＣＨサーチスペース又はチャネル伝送機会ウィンドウを含むことを特徴とする請求項４７に記載のネットワーク機器。
【請求項４９】
前記第１の信号は、前記ネットワーク機器がチャネル伝送機会を取得するように指示するためのものであることを特徴とする請求項４３〜請求項４６のいずれか１項に記載のネットワーク機器。
【請求項５０】
前記第１の時間周波数リソースにおいて、第１の信号を運ぶリソースは、周波数ドメインで連続するサブキャリアを占有することを特徴とする請求項４３〜請求項４９のいずれか１項に記載のネットワーク機器。
【請求項５１】
前記第１の時間周波数リソースにおいて、第１の信号を運ぶリソースが周波数ドメインで占有したサブキャリアと第２の信号が占有したサブキャリアとの間には、保護間隔があることを特徴とする請求項５０に記載のネットワーク機器。
【請求項５２】
前記第１の信号は、ＣＳＩ−ＲＳ及び／又は同期信号ブロックＳＳＢと準コロケーションであることを特徴とする請求項４３〜請求項５１のいずれか１項に記載のネットワーク機器。
【請求項５３】
前記第１の時間周波数リソースは、前記ＣＳＩ−ＲＳリソースセットに属し、前記第１の時間周波数リソースの位置は、ポート数、コード分割多重ＣＤＭのタイプ、密度、リソース要素ＲＥ位置及びサイクルという情報の少なくとも１種類によってキャラクタリゼーションされることを特徴とする請求項４３〜請求項５２のいずれか１項に記載のネットワーク機器。
【請求項５４】
前記第１の時間周波数リソースは、前記ＳＳＢリソースセットに属し、前記第１の時間周波数リソースの位置は、周波数ドメイン位置、時間ドメイン位置及びサイクルという情報の少なくとも１種類によってキャラクタリゼーションされることを特徴とする請求項４３〜請求項５２のいずれか１項に記載のネットワーク機器。
【請求項５５】
端末機器であって、プロセッサとメモリを含み、該メモリがコンピュータプログラムを記憶するためのものであり、前記プロセッサが前記メモリに記憶されたコンピュータプログラムを呼び出して運行することによって、請求項１〜請求項１５のいずれか１項に記載の方法を実行するためのものであることを特徴とする端末機器。
【請求項５６】
ネットワーク機器であって、プロセッサとメモリを含み、該メモリがコンピュータプログラムを記憶するためのものであり、前記プロセッサが前記メモリに記憶されたコンピュータプログラムを呼び出して運行することによって、請求項１６〜請求項２７のいずれか１項に記載の方法を実行するためのものであることを特徴とするネットワーク機器。
【請求項５７】
チップであって、コンピュータプログラムをメモリから呼び出して運行することによって、前記チップが搭載されている機器に請求項１〜請求項１５のいずれか１項に記載の方法を実行させるためのプロセッサを含むことを特徴とするチップ。
【請求項５８】
チップであって、コンピュータプログラムをメモリから呼び出して運行することによって、前記チップが搭載されている機器に請求項１６〜請求項２７のいずれか１項に記載の方法を実行させるためのプロセッサを含むことを特徴とするチップ。
【請求項５９】
コンピュータ可読記憶媒体であって、コンピュータに請求項１〜請求項１５のいずれか１項に記載の方法を実行させるコンピュータプログラムを記憶するためのものであることを特徴とするコンピュータ可読記憶媒体。
【請求項６０】
コンピュータ可読記憶媒体であって、コンピュータに請求項１６〜請求項２７のいずれか１項に記載の方法を実行させるコンピュータプログラムを記憶するためのものであることを特徴とするコンピュータ可読記憶媒体。
【請求項６１】
コンピュータプログラム製品であって、コンピュータに請求項１〜請求項１５のいずれか１項に記載の方法を実行させるためのコンピュータプログラム命令を含むことを特徴とするコンピュータプログラム製品。
【請求項６２】
コンピュータプログラム製品であって、コンピュータに請求項１６〜請求項２７のいずれか１項に記載の方法を実行させるためのコンピュータプログラム命令を含むことを特徴とするコンピュータプログラム製品。
【請求項６３】
コンピュータプログラムであって、コンピュータに請求項１〜請求項１５のいずれか１項に記載の方法を実行させることを特徴とするコンピュータプログラム。
【請求項６４】
コンピュータプログラムであって、コンピュータに請求項１６〜請求項２７のいずれか１項に記載の方法を実行させることを特徴とするコンピュータプログラム。
【発明の詳細な説明】
【技術分野】
【０００１】
本願は、２０１８年８月３日に中国特許局に提出した、出願番号が２０１８１０８８０３７８．３で、発明の名称が「信号を伝送する方法、端末機器及びネットワーク機器」という中国出願の優先権を主張し、そのすべての内容は援用によって本願に組み合わせられる。
本願の実施例は、通信技術分野に関し、具体的に、信号を伝送する方法、端末機器及びネットワーク機器に関する。
【背景技術】
【０００２】
通信システムの進化に伴い、端末節電に対する要求がより高水準のものとなる。例えば、従来の不連続受信（Ｄｉｓｃｏｎｔｉｎｕｏｕｓ  Ｒｅｃｅｐｔｉｏｎ、ＤＲＸ）メカニズムの場合、端末は、自身に送信されたデータ伝送が基地局によってスケジュールされるか否かを判断するために、各オンしているウィンドウ（Ｏｎ  Ｄｕｒａｔｉｏｎ）で物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を絶えずに検出する必要がある。しかし、大部分の端末に対して、データ伝送を受信する必要が長期間内にはない可能性があるが、依然として定期的な喚起メカニズムを維持して発生する可能性のあるダウンリンク伝送をリスニングする必要があり、このような端末の場合、節電はさらに最適化される余地がある。アイドル（ｉｄｌｅ）状態での端末によるページングメッセージの受信もこれに類似している。
【０００３】
ＤＲＸメカニズムの場合、指示信号をＯｎ  Ｄｕｒａｔｉｏｎの前に端末へ送信することが可能であり、端末は、該指示信号を検出した後にのみ、ＤＲＸのＯｎ  ＤｕｒａｔｉｏｎにＰＤＣＣＨ検出およびデータ受信を行うが、そうではない場合、ＰＤＣＣＨ検出を行わない。該指示信号はまた、省エネ信号（ｐｏｗｅｒ  ｓａｖｉｎｇ  ｓｉｇｎａｌ、ＷＵＳ）と呼ばれてもよい。類似的に、ｉｄｌｅ状態での端末によるページングメッセージの受信に対して、ページング機会（ｐａｇｉｎｇ  ｏｃｃａｓｉｏｎ、ＰＯ）の前に、今回のＰＯにＰＤＣＣＨを検出する必要があるかどうかは、省エネ信号を検出することによって判断される。現在、省エネ信号が占用した時間周波数リソースは、いまだに確定されていない。
【発明の概要】
【発明が解決しようとする課題】
【０００４】
本願の実施例は、よりよい後方互換性が保たれ、且つ、省エネ信号に類似した第１の信号が配置されているリソースの端末機器によるレートマッチングを容易にさせる信号を伝送する方法を提供する。
【課題を解決するための手段】
【０００５】
第１の態様では、信号を伝送する方法が提供され、該方法は、端末機器が、第１の信号を運ぶための第１の時間周波数リソースを確定し、該第１の信号が、対応するチャネル又は信号に対して行われる検出処理を指示するためのものであり、該第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属することと、該端末機器が該第１の時間周波数リソースにおいて第１の信号を受信することと、を含む。
【０００６】
第２の態様では、信号を伝送する方法が提供され、該方法は、ネットワーク機器が、第１の信号を運ぶための第１の時間周波数リソースを確定し、該第１の信号が、端末機器による対応するチャネル又は信号に対して行われる検出処理を指示するためのものであり、該第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属することと、該ネットワーク機器が、該第１の時間周波数リソースにおいて第１の信号を該端末機器へ送信することと、を含む。
【０００７】
第３の態様では、上記第１の態様又はその様々な実現形態における方法を実行するための端末機器が提供される。
【０００８】
具体的に、該端末機器は、上記第１の態様又はその様々な実現形態における方法を実行するための機能モジュールを含む。
【０００９】
第４の態様では、上記第２の態様又はその様々な実現形態における方法を実行するためのネットワーク機器が提供される。
【００１０】
具体的に、該ネットワーク機器は、上記第２の態様又はその様々な実現形態における方法を実行するための機能モジュールを含む。
【００１１】
第５の態様では、プロセッサとメモリを含む端末機器が提供される。該メモリは、コンピュータプログラムを記憶するためのものであり、該プロセッサは、該メモリに記憶されるコンピュータプログラムを呼び出して運行することによって、上記第１の態様又はその様々な実現形態における方法を実行するためのものである。
【００１２】
第６の態様では、プロセッサとメモリを含むネットワーク機器が提供される。該メモリは、コンピュータプログラムを記憶するためのものであり、該プロセッサは、該メモリに記憶されるコンピュータプログラムを呼び出して運行することによって、上記第２の態様又はその様々な実現形態における方法を実行するためのものである。
【００１３】
第７の態様では、上記第１の態様から第２の態様までのいずれか１つの態様又はその様々な実現形態における方法を実現させるためのチップが提供される。
【００１４】
具体的に、該チップは、コンピュータプログラムをメモリから呼び出して運行することによって、該チップを搭載した機器が、上記第１の態様から第２の態様までのいずれか１つの態様又はその様々な実現形態における方法を実行するためのプロセッサを含む。
【００１５】
第８の態様では、コンピュータプログラムを記憶するためのコンピュータ可読記憶媒体が提供され、コンピュータは、該コンピュータプログラムによって上記第１の態様から第２の態様までのいずれか１つの態様又はその様々な実現形態における方法を実行する。
【００１６】
第９の態様では、コンピュータプログラム命令を含むコンピュータプログラム製品が提供され、コンピュータは、該コンピュータプログラム命令によって上記第１の態様から第２の態様までのいずれか１つの態様又はその様々な実現形態における方法を実行する。
【００１７】
第１０の態様では、コンピュータプログラムが提供され、該コンピュータプログラムがコンピュータで実行されるとき、コンピュータは、上記第１の態様から第２の態様までのいずれか１つの態様又はその様々な実現形態における方法を実行する。
【発明の効果】
【００１８】
上記技術的解決手段により、予め定義される、ＣＳＩ−ＲＳを運ぶことに使用できる時間周波数リソース又はＳＳ／ＰＢＣＨ  ｂｌｏｃｋを運ぶことに使用できる時間周波数リソースを用いて省エネ信号に類似する第１の信号を運ぶことによって、よりよい後方互換性を維持することができ、且つ、第１の信号が配置されているリソースの端末機器によるレートマッチングを容易にする。
【図面の簡単な説明】
【００１９】
【図１】本願の実施例に係る一通信システムアーキテクチャの概略図である。
【図２】本願の実施例に係る一応用シーンの概略図である。
【図３】本願の実施例に係る信号を伝送する方法の一概略図である。
【図４】本願の実施例に係るＣＳＩ−ＲＳリソースの一構成図である。
【図５】本願の実施例に係るＳＳＢリソースの一構成図である。
【図６】本願の実施例に係る信号を伝送する方法の他の概略図である。
【図７】本願の実施例に係る端末機器の一概略ブロック図である。
【図８】本願の実施例に係るネットワーク機器の一概略ブロック図である。
【図９】本願の実施例に係る端末機器の他の概略ブロック図である。
【図１０】本願の実施例に係るネットワーク機器の他の概略ブロック図である。
【図１１】本願の実施例に係る一チップの概略ブロック図である。
【図１２】本願の実施例に係る一通信システムの概略ブロック図である。
【発明を実施するための形態】
【００２０】
以下、本願の実施例に係る図面に合わせながら、本願の実施例における技術的解決手段を説明し、当然ながら、記載される実施例は本願の実施例の一部にすぎず、すべての実施例ではない。当業者が本願における実施例に基づいて創造的な労働なしに取得されたその他のすべての実施例は、いずれも本願の保護範囲に属する。
【００２１】
本願の実施例に係る技術的解決手段は、グローバルモバイルコミュニケーション（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、コードディビシオンマルチプルアアクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンドコードディビシオンマルチプルアアクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サ−ビス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ（登録商標））システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）、汎用モバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、又は５Ｇシステムなどに応用することができる。
【００２２】
例示的に、本願の実施例が応用する通信システムはネットワーク機器を含み得て、ネットワーク機器が端末機器（又は通信端末、端末と呼ばれる）と通信する機器であってもよい。ネットワーク機器は特定の地理的エリアに通信カバレッジを提供することができ、且つ、該カバレッジエリア内の端末機器と通信することができる。選択的に、該ネットワーク機器は、ＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、また、ＷＣＤＭＡシステムにおける基地局（ＮｏｄｅＢ、ＮＢ）であってもよく、さらに、ＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、または、クラウドラジオアクセスネットワーク（Ｃｌｏｕｄ  Ｒａｄｉｏ  Ａｃｃｅｓｓ  Ｎｅｔｗｏｒｋ、ＣＲＡＮ）における無線コントローラーであってもよく、または、該ネットワーク機器は、モバイルスイッチングセンター、中継局、アクセスポイント、車載機器、ウェアラブル機器、集信装置、交換機、ブリッジ、ルーター、５Ｇネットワークにおけるネットワーク側機器または未来の進化型公共陸上モバイルネットワーク（Ｐｕｂｌｉｃ  Ｌａｎｄ  Ｍｏｂｉｌｅ  Ｎｅｔｗｏｒｋ、ＰＬＭＮ）におけるネットワーク機器などであってもよい。
【００２３】
本願の実施例で応用される通信システムはさらに、ネットワーク機器のカバレッジ範囲内にある少なくとも１つの端末機器を含む。本明細書で使用される「端末機器」として、ＵＥ、アクセス端末、ユーザユニット、ユーザステーション、モバイルテーション、モバイル局、遠方ステーション、リモート端末、モバイル機器、ユーザ端末、端末、無線通信機器、ユーザエージェント又はユーザ装置を含むが、それらに限定されない。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、ワイヤレス通信機能付きのハンドヘルド機器、コンピューティング機器又はワイヤレスモデムに接続されたその他のプロセッシング機器、車載機器、ウェアラブル機器、未来の５Ｇネットワークにおける端末機器または未来の進化型公共陸上モバイルネットワーク（Ｐｕｂｌｉｃ  Ｌａｎｄ  Ｍｏｂｉｌｅ  Ｎｅｔｗｏｒｋ、ＰＬＭＮ）における端末機器などであってもよく、本発明の実施例では制限されない。
【００２４】
選択的に、５Ｇシステム又は５Ｇネットワークはさらに、ニューラジオ（Ｎｅｗ  Ｒａｄｉｏ、ＮＲ）システム又はＮＲネットワークとも呼ばれる。
【００２５】
図１は、１つのネットワーク機器と２つの端末機器を例示的に示しており、選択的に、該無線通信システム１００は複数のネットワーク機器を含み得て、且つ、各ネットワーク機器のカバレッジ範囲内には他の数の端末機器が含まれてもよく、本願の実施例はこれを限定しない。
【００２６】
選択的に、該無線通信システム１００はさらに、ネットワークコントローラー、モバイル管理エンティティなどのその他のネットワークエンティティを含み得て、本願の実施例はこれを限定しない。
【００２７】
本願の実施例において、ネットワーク／システムにおける通信機能を持つ機器は、通信機器と呼ばれてもよいことを理解すべきである。図１で示した通信システム１００を例として、通信機器は、通信機能を持つネットワーク機器１１０と端末機器１２０と、を含み得て、ネットワーク機器１１０と端末機器１２０とは、前述した具体的な機器であってもよく、ここでは繰り返して説明しない。通信機器はさらに、通信システム１００におけるその他の機器、例えば、ネットワークコントローラー、モバイル管理エンティティなどのその他のネットワークエンティティを含み得て、本願の実施例はこれを限定しない。
【００２８】
理解すべきものとして、本明細書における「システム」と「ネットワーク」という用語は、本明細書でよく互換的に使用されることができる。本明細書における「及び／又は」という用語は、関連オブジェクトを説明する一種の関連関係にすぎず、３種類の関係が存在してもよいことを示し、例えば、Ａ及び／又はＢは、Ａが単独で存在する状況、ＡとＢが同時に存在する状況、Ｂが単独で存在する状況という３つの状況を示してもよい。また、本明細書におけるキャラクター「／」は、一般的に、前後関連オブジェクトが「又は」という関係であることを示す。
【００２９】
端末の消費電力を削減するために、ＬＴＥ及びＮＲシステムにはいずれもＤＲＸメカニズムがあることにより、端末は、データ受信がない場合、受信機を常にオンにする必要がなくて、不連続受信の状態に入り、これによって電力を節約する目的に達する。ＤＲＸのメカニズムは、接続状態であるＵＥのためにＤＲＸ  ｃｙｃｌｅを設定することを含み、１つのＤＲＸ  ｃｙｃｌｅが「Ｏｎ  Ｄｕｒａｔｉｏｎ」及び「Ｏｐｐｏｔｕｎｉｔｙ  ｆｏｒ  ＤＲＸ」からなる。「Ｏｎ  Ｄｕｒａｔｉｏｎ」時間内には、即ち、ＤＲＸのオンしているウィンドウで、ＵＥは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を含むダウンリンクチャネルと信号をリスニングして受信する。「Ｏｐｐｏｔｕｎｉｔｙ  ｆｏｒ  ＤＲＸ」時間内には、即ち、ＤＲＸのオフしているウィンドウで、ＵＥは、ＰＤＣＣＨなどのダウンリンクチャネルと信号を受信又は検出しなくて、これによって消費電力を削減する。アイドル状態でのＵＥは、ＤＲＸに類似する方式でページングメッセージを受信する必要があり、１つのＤＲＸサイクルにはページング機会ＰＯが１つ存在し、ＵＥは、ＰＯにのみページングメッセージを受信し、ＰＯ以外の時間にはページングメッセージを受信しないことにより、電力を節約する目的に達する。ＰＯ期間では、ＵＥは、ページング無線ネットワーク一時識別子（Ｐａｇｉｎｇ  Ｒａｄｉｏ  Ｎｅｔｗｏｒｋ  Ｔｅｍｐｏｒｙ  Ｉｄｅｎｔｉｔｙ、Ｐ−ＲＮＴＩ）によってスクランブルされたＰＤＣＣＨ信号を検出することによってページングメッセージがあるかどうかを判断する。  
【００３０】
５Ｇの進化において、ＵＥの節電に対するより高い要件が求められている。例えば、従来のＤＲＸメカニズムの場合、各Ｏｎ  Ｄｕｒａｔｉｏｎ期間には、ＵＥは、ＰＤＣＣＨを常に検出することによって自身に送信されたデータ伝送が基地局によってスケジュールされるか否かを判断する。しかし、大部分のＵＥに対して、データ伝送を受信する必要が長期間内にはない可能性があるが、依然として定期的な喚起メカニズムを維持して発生する可能性のあるダウンリンク伝送をリスニングする必要があり、このようなＵＥに対して、節電はさらに最適化される余地がある。アイドル状態でのＵＥによるページングメッセージの受信もこれに類似している。
【００３１】
基地局は、ＤＲＸ  Ｏｎ  Ｄｕｒａｔｉｏｎに端末をスケジュールする必要があると判断する場合、指示信号をＯｎ  Ｄｕｒａｔｉｏｎの前に端末へ送信することができ、そうではない場合、該指示信号を端末へ送信しない。端末は、該指示信号を検出した後にのみ、ＤＲＸのＯｎ  ＤｕｒａｔｉｏｎにＰＤＣＣＨ検出およびデータ受信を行うが、そうではない場合、ＰＤＣＣＨ検出を行わない。上記指示信号は、端末の省エネに有利しており、ＷＵＳとも呼ばれてもよい。このときに、ＵＥは、省エネ信号の検出のみで、ＰＤＣＣＨの検出が今回のＯｎ  Ｄｕｒａｔｉｏｎ期間に必要とされるかどうかを判断するようになり、これは、直接的なＰＤＣＣＨ検出より電力を節約することができる。類似的に、アイドル状態でのＵＥによるページングメッセージの受信の場合、ページング機会（ｐａｇｉｎｇ  ｏｃｃａｓｉｏｎ、ＰＯ）の前に、今回のＰＯにＰＤＣＣＨを検出する必要があるかどうかは、省エネ信号を検出することによって判断される。図２を参照されたい。
【００３２】
ＮＲにＷＵＳを導入するが、ＷＵＳが配置されている時間周波数リソースは、確定されていない。ＮＲで定義されたチャネルと信号とは、それぞれ対応する時間周波数リソースを占拠しており、ＷＵＳによって占用された時間周波数リソースは、既存のチャネルと信号と衝突してはならないため、後方互換性の維持が必要となっている。
【００３３】
したがって、本願の実施例は、信号を伝送する方法を提供し、予め定義される、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）を運ぶことに使用できる時間周波数リソース又は同期信号／物理ブロードキャストチャネル（Ｓｙｎｃｈｒｏｎｉｚａｔｉｏｎ  Ｓｉｇｎａｌ／Ｐｈｙｓｉｃａｌ  ｂｒｏａｄｃａｓｔｉｎｇ  Ｃｈａｎｎｅｌ、ＳＳ／ＰＢＣＨ）ブロック（Ｂｌｏｃｋ）（ＳＳＢ）を運ぶことに使用できる時間周波数リソースを用いて省エネ信号に類似する第１の信号を運ぶことができ、よりよい後方互換性を維持することができ、且つ、第１の信号が配置されているリソースの端末機器によるレートマッチングを容易にする。
【００３４】
図３は、本願の実施例に係る信号を伝送する方法２００の概略ブロック図を示している。図３に示すように、方法２００は、
端末機器は、第１の信号を運ぶための第１の時間周波数リソースを確定し、該第１の信号が、対応するチャネル又は信号に対して行われる検出処理を指示するためのものであり、該第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属するＳ２１０と、
該端末機器が該第１の時間周波数リソースにおいて第１の信号を受信するＳ２２０と、の一部又はすべてを含む。
【００３５】
通信システムの進化に伴い、ＣＳＩ−ＲＳは、ダウンリンクチャネル測定のために導入され、異なる通信システムによって異なる定義が行われる。例えば、ＮＲでは、表１は、１つの時間スロットでのＣＳＩ−ＲＳ出現可能な位置を表しており、ＣＳＩ−ＲＳのポート数、コード分割多重（Ｃｏｄｅ  Ｄｉｖｉｓｉｏｎ  Ｍｕｌｔｉｐｌｅｘｉｎｇ、ＣＤＭ）のタイプ、ＣＤＭグループインデックス、リソース要素（ｒｅｓｏｕｒｃｅ  ｅｌｅｍｅｎｔ、ＲＥ）位置、およびサイクルなどによってキャラクタリゼーションすることができる。
【００３６】
【表１（１）】
2021533628.tif 000003
【表１（２）】
2021533628.tif 000004
【表１（３）】
2021533628.tif 000005
【００３７】
表１では、ＣＤＭのタイプは、Ｎｏ  ＣＤＭ、周波数分割（Ｆｒｅｑｕｅｎｃｙ  Ｄｉｖｉｓｉｏｎ−ＣＤＭ、ＦＤ−ＣＤＭ）２、ＣＤＭ４（ＦＤ２、時間分割（Ｔｉｍｅ  Ｄｉｖｉｓｉｏｎ、ＴＤ）  ２）、ＣＤＭ８（ＦＤ２、ＴＤ４）などを含み得る。
【００３８】
表１におけるインデックス７を例として、該ＣＳＩ−ＲＳリソースは、図４に示すように、横軸が時間ドメインｔで、縦軸が周波数ドメインｆで、該ＣＳＩ−ＲＳリソースは８ポートのＣＳＩ−ＲＳリソースを含有し、４つのＣＤＭグループを含み、ＣＤＭグループごとに２つのポートのＣＳＩ−ＲＳリソースを含み、ＣＤＭのタイプが周波数分割ＦＤ−ＣＤＭ２で、即ち、周波数ドメインでは、２つのＲＥは、ＣＤＭの方式で２つのポートのＣＳＩ−ＲＳを運ぶ。
【００３９】
本願の実施例において、該ＣＳＩ−ＲＳリソースセットは、上記定義される表１におけるＣＳＩ−ＲＳリソースのすべてであってもよく、表１におけるＣＳＩ−ＲＳリソースの一部であってもよい。例えば、該ＣＳＩ−ＲＳリソースセットは、表１におけるインデックス１〜インデックス５のＣＳＩ−ＲＳリソースを含んでもよい。本願の実施例は、ＣＳＩ−ＲＳを運ぶための、定義されるものであれば、ＣＳＩ−ＲＳリソースセットに対して任意の制限もしない。つまり、上記表１における定義される任意のＣＳＩ−ＲＳリソースにおいて第１の信号を運ぶことができる。
【００４０】
同一の端末機器に対して、ネットワーク機器が該端末機器のために構成される、ＣＳＩ−ＲＳを運ぶためのＣＳＩ−ＲＳリソースと、ネットワーク機器が該端末機器のために構成される、第１の信号を運ぶためのリソースとは、いずれも上記ＣＳＩ−ＲＳリソースセットに属し、且つ、相互間の衝突の発生ができない。
【００４１】
同様に、公共チャネル及び信号の受信信頼性を向上させるために、例えばＳＳやＰＢＣＨがマルチビームでスキャンするようにセル全体を覆わせることができ、該マルチビームの方式がＳＳ／ＰＢＣＨバーストセット（ｂｕｒｓｔ  ｓｅｔ）を定義することによって実現され得る。１つのＳＳ／ＰＢＣＨ  ｂｕｒｓｔ  ｓｅｔは１つ又は複数のＳＳＢを含み、１つのＳＳＢは１つのビームのＳＳ及びＰＢＣＨを運ぶためのものである。したがって、１つのＳＳ／ＰＢＣＨ  ｂｕｒｓｔ  ｓｅｔは、セル内にあるＳＳＢ  ｎｕｍｂｅｒ個のビームのＳＳＢを含み得る。ＳＳＢの最大個数Ｌは、システムの周波数バンドに関連しており、例えば、３ＧＨｚ以下の周波数範囲である場合、Ｌは４であり、３ＧＨｚから６ＧＨｚまでの周波数範囲である場合、Ｌは８であり、６ＧＨｚから５２．６ＧＨｚまでの周波数範囲である場合、Ｌは６４である。
【００４２】
１つのＳＳＢには、１シンボルのプライマリ同期信号（Ｐｒｉｍａｒｙ  Ｓｙｎｃｈｒｏｎｉｚａｔｉｏｎ  Ｓｉｇｎａｌ、ＰＳＳ）、１シンボルのセカンダリ同期信号（Ｓｅｃｏｎｄａｒｙ  Ｓｙｎｃｈｒｏｎｉｚａｔｉｏｎ  Ｓｉｇｎａｌ、ＳＳＳ）及び２シンボルのＰＢＣＨが含まれることができる。ＳＳ／ＰＢＣＨ  ｂｕｒｓｔ  ｓｅｔ内のＳＳＢのすべては、５ｍｓのタイムウィンドウで送信され、且つ、一定のサイクルで繰り返して送信されており、サイクルが高レベルパラメータＳＳＢ−ｔｉｍｉｎｇによって設定され、５ｍｓ、１０ｍｓ、２０ｍｓ、４０ｍｓ、８０ｍｓ、１６０ｍｓなどを含む。
【００４３】
図５は、１５ＫＨｚのサブキャリア間隔を例とした１つの時間スロット内のＳＳＢの分布図を示している。ＳＳＢを運ぶための時間周波数リソースは予め定義されたものであり、Ｌ個の時間周波数リソース位置を含むことは図から分かれる。しかし、実際のシステムでは、ネットワーク機器から端末機器に送信できるＳＳＢは、Ｌ個以下で、即ち、実際に伝送されたＳＳＢのことである。実際に送信されたＳＳＢは、１つのビットマップ  （ｂｉｔｍａｐ）で端末機器に知らせることができ、端末機器は、該ｂｉｔｍａｐ情報に基づいて実際に送信されたＳＳＢの時間周波数リソース位置を得ることができる。
【００４４】
本願の実施例において、該ＳＳＢリソースセットは、予め定義された候補ＳＳＢリソースのすべてであってもよく、候補ＳＳＢリソースの一部であってもよく、本願の実施例は、ＳＳＢを運ぶための、予め定義されたものであれば、ＳＳＢリソースセットに対して何の制限もしない。つまり、第１の信号を任意の予め定義されたＳＳＢリソースで運ぶことができる。
【００４５】
同一の端末機器に対して、ネットワーク機器が該端末機器のために構成された、ＳＳＢを運ぶためのリソースと、ネットワーク機器が該端末機器のために構成された、第１の信号を運ぶためのリソースとは、いずれも上記ＳＳＢリソースセットに属することができ、且つ、相互間の衝突の発生ができない。
【００４６】
説明すべきものとして、本願の実施例は、予め定義されたＣＳＩ−ＲＳリソースセット及びＳＳＢリソースセットにおけるリソースを利用して第１の信号を運ぶが、本願の実施例は、これに限定されず、位置決め基準信号（Ｐｏｓｉｔｉｏｎｉｎｇ  Ｒｅｆｅｒｅｎｃｅ  Ｓｉｇｎａｌ、ＰＲＳ）などの予め定義された、他の信号を運ぶことができるリソースセットであってもよい。
【００４７】
選択的に、本願の実施例において、端末機器及びネットワーク機器によって確定された、第１の信号を運ぶための第１の時間周波数リソースは、ＣＳＩ−ＲＳリソースセットにおける１つのＣＳＩ−ＲＳリソース、複数のＣＳＩ−ＲＳリソースまたは少なくとも１つのＣＳＩ−ＲＳリソースのうちの一部を含み得る。例えば、表１における１つのインデックスが１つのＣＳＩ−ＲＳリソースに対応し、第１の時間周波数リソースは、表１におけるいずれか１つのインデックスのＣＳＩ−ＲＳリソース、または複数のインデックスのＣＳＩ−ＲＳリソース、または少なくとも１つのインデックスのＣＳＩ−ＲＳリソースのうちの一部を含み得る。第１の時間周波数リソースがＳＳＢリソースセットに属する場合、ＣＳＩ−ＲＳリソースの実現形態に類似しており、簡潔のため、ここでは説明を省略する。
【００４８】
理解すべきものとして、本願の実施例における第１の信号は、上記省エネ信号などの指示信号で、つまり、対応するタイムウィンドウでの端末機器によるチャネル又は信号の検出が必要であるかどうかを指示するためのものである。該第１の信号に対応するタイムウィンドウは、ＤＲＸのオンしているウィンドウ、即ち、ＤＲＸのＯｎ  Ｄｕｒａｔｉｏｎであってもよい。例えば、ＤＲＸメカニズムでは、該第１の信号をＯｎ  Ｄｕｒａｔｉｏｎの前に端末へ送信し、端末は、該第１の信号を検出した後にのみ、ＤＲＸのＯｎ  ＤｕｒａｔｉｏｎにＰＤＣＣＨ検出およびデータ受信を行うが、そうではない場合、ＰＤＣＣＨ検出を行わないことも可能である。該第１の信号に対応するタイムウィンドウはまた、ＰＯであってもよい。例えば、ページングメカニズムでは、該第１の信号は、喚起信号であってもよく、該喚起信号が端末を喚起するためのものであり、つまり、ネットワーク機器は、ページング機会ＰＯの間に該第１の信号を端末機器へ送信し、端末機器は、該第１の信号を受信した後に、ＰＤＣＣＨの検出およびページングメッセージの受信をＰＯには行わないようにする。選択的に、該第１のウィンドウに対応するタイムウィンドウは、さらにＰＤＣＣＨサーチスペースであってもよい。
【００４９】
該第１の信号は、ライセンス不要シーンにおいて、ネットワーク機器がチャネル伝送機会を取得したと端末機器に指示するためのものであってもよい。チャネル又は信号をこの後のリソースで伝送することが、このときにこそ、ネットワーク機器にとって可能となり、端末機器の場合、第１の信号を受信してからこそ、端末機器は、チャネル又は信号の検出を行い始める。該第１の信号は、チャネル又は信号検出の始点とも呼ばれる。第１の信号を受信した前に、端末機器は、不検出の状態に待機する可能性があり、これで端末機器の消費電力を最大限に削減することができる。端末機器は、該第１の信号を受信する前に、比較的に大きなサイクルを利用してチャネル又は信号を検出し、該第１の信号を受信した後に、端末機器は、比較的に小さなサイクルを利用してチャネル又は信号を検出することができる。例えば、第１の信号を受信する前に、検出サイクルは５ｍｓで、第１の信号を受信した後に、検出サイクルは１ｍｓで、端末機器の消費電力もこれで削減することができる。  
【００５０】
説明すべきものとして、ネットワーク機器によるチャネル伝送機会の取得は、一定の時間の継続であってもよい。例えば、１つのチャネル伝送機会ウィンドウの継続、そうなると、第１の信号に対応するタイムウィンドウが、１つのチャネル伝送機会ウィンドウであってもよい。
【００５１】
当業者は、本願の実施例に係るチャネル又は信号に対する検出は、ＰＤＣＣＨまたはデータチャネル、例えば物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）などのチャネルに対する検出であってもよいし、チャネルで運ばされた信号などに対する検出であってもよい。
【００５２】
選択的に、ネットワーク機器は、該第１の時間周波数リソースを明示的に指示することができる。例えば、ネットワーク機器は、指示情報を端末機器へ送信し、該第１の信号の第１の時間周波数リソースの位置を伝送するように直接に指示することができ、端末機器は、指示情報を受信した後に、指示された第１の時間周波数リソース位置で第１の信号を検出することができる。
【００５３】
選択的に、ネットワーク機器は、該第１の時間周波数リソースを暗黙的に指示することもできる。例えば、ネットワーク機器は、該第１の信号を運ぶためのリソースを、例えば、１つの時間単位に占用したリソース位置を端末機器のために設定ことができ、且つ、該リソースのサイクルを設定こともできる。端末機器は、該設定によって１つの周期的なリソース位置を特定することができ、端末機器は、第１の信号を該周期性が現れたリソース位置で直接にブラインド検出することができる。端末機器は、該第１の信号が具体的にどの時間単位で検出されるか他の情報を組み合わせて特定することもできる。例えば、第１の信号と対応するタイムウィンドウとの間の時間間隔、即ち、第１の信号と対応するタイムウィンドウとのタイミング関係を組み合わせることができる。該タイミング関係は、ネットワーク機器によって設定されてもよく、端末機器の能力を組み合わせてネットワーク機器によって設定されてもよい。該タイミング関係は、第１の信号と対応するタイムウィンドウとの間の最小時間間隔のことを指してもよい。端末機器は、第１の信号が位置する可能な時間単位を該タイミング関係を組み合わせてまず特定し、次にネットワーク機器によって構成された、第１の信号を運ぶためのリソースを組み合わせて、該第１の時間周波数リソースを可能な時間単位で特定することができ、端末機器は、さらに該第１の時間周波数リソースにおいて、第１の信号を受信することができるようになり、端末機器が予め取得した可能な時間周波数リソースは、ネットワーク機器から実際に送信された第１の信号が占用した時間周波数リソースではなく、ネットワーク機器の構成によるものであるため、端末機器は、該第１の信号を該第１の時間周波数リソースにおいてブラインドで検出することができる。
【００５４】
本願の実施例における時間単位は、時間スロットであってもよく、またはいくつかのシンボルなどによって構成されたものであってもよい。
【００５５】
選択的に、本願の実施例において、第１の時間周波数リソースにおいて、第１の信号を運ぶリソースは、周波数ドメインで定義されたＣＳＩ−ＲＳリソースの一部のサブキャリアを含むことができ、または連続するサブキャリアを占有することもでき、説明すべきものとして、ここでは、連続するサブキャリアを占有することは、１つのＣＳＩ−ＲＳリソースでの連続するサブキャリアを占有してもよく、複数のＣＳＩ−ＲＳリソースをスプライシングして構成した連続するサブキャリアを占有してもよい。第１の時間周波数リソースにおいて、第１の信号を運ぶリソースが占有したサブキャリアと周波数ドメインで他の信号を運ぶリソースが占有したサブキャリアとの間には、保護間隔があってもよい。
【００５６】
また、第１の信号はマルチビームを利用して送信されてもよく、ネットワーク機器は、該第１の信号と他の信号との間の準コロケーション  （Ｑｕａｓｉ  ｃｏ−ｌｏｃａｔｉｏｎ、ＱＣＬ）関係、例えば該第１の信号とＣＳＩ−ＲＳとの間の準コロケーション、または該第１の信号とＳＳＢとの間の準コロケーションなどを設定してもよい。例えば、第１の信号１〜第１の信号ｉは、異なる第１の信号であり、ＳＳＢ  １〜  ＳＳＢ  ｉとそれぞれＱＣＬ関係があり、または、ＣＳＩ−ＲＳリソースインデックス０〜ＣＳＩ−ＲＳリソースインデックスｉとそれぞれＱＣＬ関係がある。
【００５７】
準コロケーションとは、２つのアンテナポートに対し、アンテナポートのうちの１つによってシンボルを送信するラジオチャネルの大規模特性が、他方のアンテナポートによってシンボルを送信するラジオチャネルから推測できる場合、この２つのアンテナポートは準コロケーションと見なされるということである。前記大規模特性、即ち、ＱＣＬ情報は、ドップラーシフト（Ｄｏｐｐｌｅｒ  ｓｈｉｆｔ）、ドップラー拡張（Ｄｏｐｐｌｅｒ  ｓｐｒｅａｄ）、平均遅延（ａｖｅｒａｇｅ  ｄｅｌａｙ）、遅延延長（ｄｅｌａｙ  ｓｐｒｅａｄ）およびスペース受信パラメータ（Ｓｐａｔｉａｌ  Ｒｘ  ｐａｒａｍｅｔｅｒ）のパラメータのうちの少なくとも１種類を含む。即ち、２つのアンテナポートがＱＣＬであるとき、１つのアンテナポートのラジオチャネルの大規模特性は、他方のアンテナポートのラジオチャネルの大規模特性に対応することを意味する。基準信号（Ｒｅｆｅｒｅｎｃｅ  Ｓｉｇｎａｌ、ＲＳ）を送信する複数のアンテナポートを考慮し、異なる２種類のＲＳを送信するアンテナポートがＱＣＬであるとき、１つのアンテナポートのラジオチャネルの大規模特性は、他方のアンテナポートのラジオチャネルの大規模特性によって代替されてもよい。
【００５８】
Ａが基準信号で、Ｂがターゲット信号であると仮定すると、Ｂが上記大規模パラメータのことでＡと準コロケーションである場合、ＵＥは、Ａから該準コロケーションの大規模パラメータを推定することができ、これによってＢが該大規模パラメータを利用してこの後の操作を行うことができる。
【００５９】
図６は、本願の実施例に係る信号を伝送する方法３００の概略ブロック図である。図６に示すように、該方法３００は、
ネットワーク機器は、第１の信号を運ぶための第１の時間周波数リソースを確定し、該第１の信号が、端末機器による対応するチャネル又は信号に対して行われる検出処理を指示するためのものであり、該第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属するＳ３１０と、
該ネットワーク機器が、該第１の時間周波数リソースにおいて第１の信号を該端末機器へ送信するＳ３２０と、の一部又はすべてを含む。
【００６０】
したがって、本願の実施例は、信号を伝送する方法を提供し、予め定義された、ＣＳＩ−ＲＳを運ぶことに使用できる時間周波数リソース又はＳＳＢを運ぶことに使用できる時間周波数リソースを用いて省エネ信号に類似する第１の信号を運ぶことができ、よりよい後方互換性を維持することができ、且つ、第１の信号が配置されているリソースの端末機器によるレートマッチングを容易にする。
【００６１】
選択的に、本願の実施例において、該第１の時間周波数リソースは、該ＣＳＩ−ＲＳリソースセットにおける１つのＣＳＩ−ＲＳリソース、複数のＣＳＩ−ＲＳリソース又は少なくとも１つのＣＳＩ−ＲＳリソースの一部を含み、又は該第１の時間周波数リソースは、該ＳＳＢリソースセットにおける１つのＳＳＢリソース、複数のＳＳＢリソース又は少なくとも１つのＳＳＢリソースの一部を含む。
【００６２】
選択的に、本願の実施例において、該方法はさらに、該ネットワーク機器が指示情報を該端末機器へ送信し、該指示情報が該第１の時間周波数リソースを指示するためのものであることを含む。
【００６３】
選択的に、本願の実施例において、該方法は、さらに、該ネットワーク機器が第１の信号を運ぶためのリソースの構成情報を該端末機器へ送信することを含む。
【００６４】
選択的に、本願の実施例において、該第１の信号は、該端末機器が対応するタイムウィンドウにおいてチャネル又は信号を検出するように指示するためのものであり、又は該第１の信号は、該端末機器が対応するタイムウィンドウにおいてチャネル又は信号を検出しないように指示するためのものである。
【００６５】
選択的に、本願の実施例において、該タイムウィンドウは、不連続受信ＤＲＸのオンしているウィンドウ、ページング機会ＰＯ、ＰＤＣＣＨサーチスペース又はチャネル伝送機会ウィンドウを含む。
【００６６】
選択的に、本願の実施例において、該第１の信号は、該ネットワーク機器がチャネル伝送機会を取得するように指示するためのものである。
【００６７】
選択的に、本願の実施例において、該第１の時間周波数リソースにおいて、第１の信号を運ぶリソースは、周波数ドメインで連続するサブキャリアを占有する。
【００６８】
選択的に、本願の実施例において、該第１の時間周波数リソースにおいて、第１の信号を運ぶリソースが周波数ドメインで占有したサブキャリアと第２の信号が占有したサブキャリアとの間には、保護間隔がある。
【００６９】
選択的に、本願の実施例において、該第１の信号は、ＣＳＩ−ＲＳ及び／又は同期信号ブロックＳＳＢと準コロケーションである。
【００７０】
選択的に、本願の実施例において、該第１の時間周波数リソースは、該ＣＳＩ−ＲＳリソースセットに属し、該第１の時間周波数リソースの位置は、ポート数、コード分割多重ＣＤＭのタイプ、密度、リソース要素ＲＥ位置及びサイクルという情報の少なくとも１種類によってキャラクタリゼーションされる。
【００７１】
選択的に、本願の実施例において、該第１の時間周波数リソースは、該ＳＳＢリソースセットに属し、該第１の時間周波数リソースの位置は、周波数ドメイン位置、時間ドメイン位置及びサイクルという情報の少なくとも１種類によってキャラクタリゼーションされる。
【００７２】
理解すべきものとして、ネットワーク機器について説明したネットワーク機器と端末機器との間のイントラクション及び関連特性、機能などは、端末機器の関連特性、機能に対応する。つまり、端末機器は、ネットワーク機器から端末機器へ送信されるメッセージに対応するメッセージをネットワーク機器から受信する。
【００７３】
さらに理解すべきものとして、本願の様々な実施例において、上記各プロセスのシーケンス番号は、実行する順番を意味するのではなく、各プロセスの実行順番は、その機器と内部ロジックによって確定すべきであり、本願の実施例の実施過程に対して何らかの制限を構成するべきではない。
【００７４】
以上、本願の実施例に基づく信号を伝送する方法について詳細に説明したが、以下、図７から図１０までの図に合わせて、本願の実施例に基づく信号を伝送する装置を説明し、方法の実施例で説明した技術的特徴は、以下の装置の実施例に適用する。
【００７５】
図７は、本願の実施例に係る端末機器４００の概略ブロック図を示している。図７に示すように、該端末機器４００は、
第１の信号を運ぶための第１の時間周波数リソースを確定するための処理ユニット４１０であって、前記第１の信号が、対応するチャネル又は信号に対して行われる検出処理を指示するためのものであり、前記第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属する処理ユニット４１０と、
前記第１の時間周波数リソースで第１の信号を受信するためのトランシーバユニット４２０と、を含む。
【００７６】
前記第１の時間周波数リソースは、前記ＣＳＩ−ＲＳリソースセットにおける１つのＣＳＩ−ＲＳリソース、複数のＣＳＩ−ＲＳリソース又は少なくとも１つのＣＳＩ−ＲＳリソースの一部を含み、又は前記第１の時間周波数リソースは、前記ＳＳＢリソースセットにおける１つのＳＳＢリソース、複数のＳＳＢリソース又は少なくとも１つのＳＳＢリソースの一部を含む。
【００７７】
選択的に、本願の実施例において、前記トランシーバユニットはさらに、ネットワーク機器によって送信された指示情報を受信するためのものであり、前記指示情報が前記第１の時間周波数リソースを指示するためのものである。前記処理ユニットは、具体的に、前記端末機器が前記指示情報に基づき、前記第１の時間周波数リソースを確定するために使用される。
【００７８】
選択的に、本願の実施例において、前記トランシーバユニットは、さらに、ネットワーク機器によって送信された第１の信号を運ぶためのリソースの構成情報を受信するためのものである。前記処理ユニットは、具体的に、第１の信号と対応する受信ウィンドウとの間の時間間隔に基づき、第１の信号が配置されている時間単位を確定すること、前記時間単位内の前記構成情報によって指示されたリソースを前記第１の時間周波数リソースとして確定することに用いられる。
【００７９】
選択的に、本願の実施例において、前記処理ユニットはさらに、前記端末機器の能力に基づき、前記時間間隔を確定するためのものである。
【００８０】
選択的に、本願の実施例において、前記第１の信号は、対応するタイムウィンドウにおいて、チャネル又は信号を検出するように指示するためのものであり、又は前記第１の信号は、対応するタイムウィンドウにおいて、チャネル又は信号を検出しないように指示するためのものである。
【００８１】
選択的に、本願の実施例において、前記処理ユニットはさらに、前記対応するタイムウィンドウにおいてチャネル又は信号を検出し、又は前記対応するタイムウィンドウにおいてチャネル又は信号を検出しないためのものである。
【００８２】
選択的に、本願の実施例において、前記タイムウィンドウは、不連続受信ＤＲＸのオンしているウィンドウ、ページング機会ＰＯ、ＰＤＣＣＨサーチスペース又はチャネル伝送機会ウィンドウを含む。
【００８３】
選択的に、本願の実施例において、前記第１の信号は、ネットワーク機器がチャネル伝送機会を取得するように指示するためのものである。
【００８４】
選択的に、本願の実施例において、前記処理ユニットは、さらに、前記第１の信号を受信した後に、第１のサイクルでチャネル又は信号を検出することに用いられ、前記第１のサイクルが前記第１の信号を受信した前にチャネル又は信号を検出するサイクルより小さいサイクルである。
【００８５】
選択的に、本願の実施例において、前記第１の時間周波数リソースにおいて、第１の信号を運ぶリソースは周波数ドメインで連続するサブキャリアを占有する。
【００８６】
選択的に、本願の実施例において、前記第１の時間周波数リソースにおいて、第１の信号を運ぶリソースが周波数ドメインで占有したサブキャリアと第２の信号が占有したサブキャリアとの間には、保護間隔がある。
【００８７】
選択的に、本願の実施例において、前記第１の信号は、ＣＳＩ−ＲＳ及び／又は同期信号ブロックＳＳＢと準コロケーションである。
【００８８】
選択的に、本願の実施例において、前記第１の時間周波数リソースは、前記ＣＳＩ−ＲＳリソースセットに属し、前記第１の時間周波数リソースの位置は、ポート数、コード分割多重ＣＤＭのタイプ、密度、リソース要素ＲＥ位置及びサイクルという情報の少なくとも１種類によってキャラクタリゼーションされる。
【００８９】
選択的に、本願の実施例において、前記第１の時間周波数リソースは、前記ＳＳＢリソースセットに属し、前記第１の時間周波数リソースの位置は、周波数ドメイン位置、時間ドメイン位置及びサイクルという情報の少なくとも１種類によってキャラクタリゼーションされる。
【００９０】
理解すべきものとして、本願の実施例に基づく端末機器４００は、本願の方法の実施例における端末機器に対応することができ、且つ、端末機器４００における各ユニットの上記及びその他の操作及び／又は機能は、それぞれ図３の方法における端末機器の相応のフローを実現するためのものであり、簡潔のため、ここでは説明を省略する。
【００９１】
図８は、本願の実施例に係るネットワーク機器５００の概略ブロック図を示している。図８に示すように、該ネットワーク機器５００は、
第１の信号を運ぶための第１の時間周波数リソースを確定するための処理ユニット５１０であって、前記第１の信号が、端末機器による対応するチャネル又は信号に対して行われる検出処理を指示するためのものであり、前記第１の時間周波数リソースが、チャネル状態情報基準信号ＣＳＩ−ＲＳを運ぶことができるＣＳＩ−ＲＳリソースセットに属するか、又は同期信号ＳＳ／物理ブロードキャストチャネルＰＢＣＨを運ぶことができる同期信号ブロックＳＳＢリソースセットに属する処理ユニット５１０と、
前記第１の時間周波数リソースで第１の信号を前記端末機器へ送信するためのトランシーバユニット５２０と、を含む。
【００９２】
選択的に、本願の実施例において、前記第１の時間周波数リソースは、前記ＣＳＩ−ＲＳリソースセットにおける１つのＣＳＩ−ＲＳリソース、複数のＣＳＩ−ＲＳリソース又は少なくとも１つのＣＳＩ−ＲＳリソースの一部を含み、又は前記第１の時間周波数リソースは、前記ＳＳＢリソースセットにおける１つのＳＳＢリソース、複数のＳＳＢリソース又は少なくとも１つのＳＳＢリソースの一部を含む。
【００９３】
選択的に、本願の実施例において、前記ネットワーク機器はさらに、前記ネットワーク機器が指示情報を前記端末機器へ送信し、前記指示情報が前記第１の時間周波数リソースを指示するためのものであることを含む。
【００９４】
選択的に、本願の実施例において、前記ネットワーク機器は、さらに、前記ネットワーク機器が第１の信号を運ぶためのリソースの構成情報を前記端末機器へ送信することを含む。
【００９５】
選択的に、本願の実施例において、前記第１の信号は、前記端末機器が対応するタイムウィンドウにおいてチャネル又は信号を検出するように指示するためのものであり、又は前記第１の信号は、前記端末機器が対応するタイムウィンドウにおいてチャネル又は信号を検出しないように指示するためのものである。
【００９６】
選択的に、本願の実施例において、前記タイムウィンドウは、不連続受信ＤＲＸのオンしているウィンドウ、ページング機会ＰＯ、ＰＤＣＣＨサーチスペース又はチャネル伝送機会ウィンドウを含む。
【００９７】
選択的に、本願の実施例において、前記第１の信号は、前記ネットワーク機器がチャネル伝送機会を取得するように指示するためのものである。
【００９８】
選択的に、本願の実施例において、前記第１の時間周波数リソースにおいて、第１の信号を運ぶリソースは、周波数ドメインで連続するサブキャリアを占有する。
【００９９】
選択的に、本願の実施例において、前記第１の時間周波数リソースにおいて、第１の信号を運ぶリソースが周波数ドメインで占有したサブキャリアと第２の信号が占有したサブキャリアとの間には、保護間隔がある。
【０１００】
選択的に、本願の実施例において、前記第１の信号は、ＣＳＩ−ＲＳ及び／又は同期信号ブロックＳＳＢと準コロケーションである。
【０１０１】
選択的に、本願の実施例において、前記第１の時間周波数リソースは、前記ＣＳＩ−ＲＳリソースセットに属し、前記第１の時間周波数リソースの位置は、ポート数、コード分割多重ＣＤＭのタイプ、密度、リソース要素ＲＥ位置及びサイクルという情報の少なくとも１種類によってキャラクタリゼーションされる。
【０１０２】
選択的に、本願の実施例において、前記第１の時間周波数リソースは、前記ＳＳＢリソースセットに属し、前記第１の時間周波数リソースの位置は、周波数ドメイン位置、時間ドメイン位置及びサイクルという情報の少なくとも１種類によってキャラクタリゼーションされる。
【０１０３】
理解すべきものとして、本願の実施例に基づくネットワーク機器５００は、本願の方法の実施例におけるネットワーク機器に対応することができ、且つ、ネットワーク機器５００における各ユニットの上記及びその他の操作及び／又は機能は、それぞれ図６の方法におけるネットワーク機器の相応のフローを実現するためのものであり、簡潔のため、ここでは説明を省略する。
【０１０４】
図９に示すように、本願の実施例はさらに、端末機器６００を提供し、該端末機器６００は、図７における端末機器４００であってもよく、図３における方法２００に対応する端末機器の内容を実行するために使用することができる。図９に示すような端末機器６００は、プロセッサ６１０を含み、プロセッサ６１０がコンピュータプログラムをメモリから呼び出して運行することによって本願の実施例における方法を実現することができる。
【０１０５】
選択的に、図９に示すように、端末機器６００はさらに、メモリ６２０を含み得る。そのうち、プロセッサ６１０は、コンピュータプログラムをメモリ６２０から呼び出して運行することによって本願の実施例における方法を実現することができる。
【０１０６】
そのうち、メモリ６２０は、プロセッサ６１０から独立した１つの単独のデバイスであってもよく、プロセッサ６１０に集積されてもよい。
【０１０７】
選択的に、図９に示すように、端末機器６００は、さらに、トランシーバ６３０を含み、プロセッサ６１０が該トランシーバ６３０を他の機器と通信するように制御することができ、具体的に、情報又はデータを他の機器へ送信するか、又は他の機器によって送信された情報又はデータを受信することができる。
【０１０８】
そのうち、トランシーバ６３０は、発信機及び受信機を含み得る。トランシーバ６３０はさらに、アンテナをさらに含み得て、アンテナの数が１つ又は複数であってもよい。
【０１０９】
選択的に、該端末機器６００は、本願の実施例に係る端末機器であってもよく、且つ、該端末機器６００は、本願の実施例に係る各方法での端末機器によって実現される相応のフローを実現することができ、簡潔のため、ここでは説明を省略する。
【０１１０】
１つの具体的な実施形態では、端末機器６００における処理ユニットは、図９におけるプロセッサ６１０によって実現され得る。端末機器６００におけるトランシーバユニットは、図９におけるトランシーバ６３０によって実現され得る。
【０１１１】
図１０に示すように、本願の実施例はさらに、ネットワーク機器７００を提供し、該ネットワーク機器７００は、図８におけるネットワーク機器５００であってもよく、図７における方法３００に対応するネットワーク機器の内容を実行するために使用することができる。図１０に示すようなネットワーク機器７００は、プロセッサ７１０を含み、プロセッサ７１０は、コンピュータプログラムをメモリから呼び出して運行することによって本願の実施例における方法を実現することができる。
【０１１２】
選択的に、図１０に示すように、ネットワーク機器７００はさらに、メモリ７２０を含み得る。そのうち、プロセッサ７１０がコンピュータプログラムをメモリ７２０から呼び出して運行することによって本願の実施例における方法を実現することができる。
【０１１３】
そのうち、メモリ７２０は、プロセッサ７１０から独立した１つの単独のデバイスであってもよく、プロセッサ７１０に集積されてもよい。
【０１１４】
選択的に、図１０に示すように、ネットワーク機器７００は、さらに、トランシーバ７３０を含み、プロセッサ７１０が該トランシーバ７３０を他の機器と通信するように制御することができ、具体的に、情報又はデータを他の機器へ送信するか、又は他の機器によって送信された情報又はデータを受信することができる。
【０１１５】
そのうち、トランシーバ７３０は、発信機及び受信機を含み得る。トランシーバ７３０はさらに、アンテナをさらに含み得て、アンテナの数が１つ又は複数であってもよい。
【０１１６】
選択的に、該ネットワーク機器７００は、本願の実施例に係るネットワーク機器であってもよく、且つ、該ネットワーク機器７００は、本願の実施例に係る各方法でのネットワーク機器によって実現される相応のフローを実現することができ、簡潔のため、ここでは説明を省略する。
【０１１７】
１つの具体的な実施形態では、ネットワーク機器７００における処理ユニットは、図１０におけるプロセッサ７１０によって実現され得る。ネットワーク機器７００におけるトランシーバユニットは、図１０におけるトランシーバ７３０によって実現され得る。
【０１１８】
図１１は、本願の実施例に係るチップの概略構造図である。図１１に示すようなチップ８００は、プロセッサ８１０を含み、プロセッサ８１０がコンピュータプログラムをメモリから呼び出して運行することによって本願の実施例における方法を実現することができる。
【０１１９】
選択的に、図１１に示すように、チップ８００はさらに、メモリ８２０を含み得る。そのうち、プロセッサ８１０がコンピュータプログラムをメモリ８２０から呼び出して運行することによって本願の実施例における方法を実現することができる。
【０１２０】
そのうち、  メモリ８２０は、プロセッサ８１０から独立した１つの単独のデバイスであってもよく、プロセッサ８１０に集積されてもよい。
【０１２１】
選択的に、該チップ８００は、さらに、入力インタフェース８３０を含み得る。そのうち、プロセッサ８１０が該入力インタフェース８３０を他の機器又はチップと通信するように制御することができ、具体的に、他の機器又はチップによって送信された情報又はデータを取得することができる。
【０１２２】
選択的に、該チップ８００は、さらに、出力インタフェース８４０を含み得る。そのうち、プロセッサ８１０が該出力インタフェース８４０を他の機器又はチップと通信するように制御することができ、具体的に、情報又はデータを他の機器又はチップへ出力することができる。
【０１２３】
選択的に、該チップは、本願の実施例におけるネットワーク機器に応用することができ、且つ、該チップは、本願の実施例に係る各方法でのネットワーク機器によって実現される相応のフローを実現することができ、簡潔のため、ここでは説明を省略する。
【０１２４】
選択的に、該チップは、本願の実施例における端末機器に応用することができ、且つ、該チップは、本願の実施例に係る各方法での端末機器によって実現される相応のフローを実現することができ、簡潔のため、ここでは説明を省略する。
【０１２５】
理解すべきものとして、本願の実施例で言及したチップはまた、システムレベルチップ、システムチップ、チップシステム又はシステムオンチップなどと呼ばれてもよい。
【０１２６】
図１２は、本願の実施例に係る通信システム９００の概略ブロック図である。図１２に示すように、該通信システム９００は、端末機器９１０及びネットワーク機器９２０を含む。
【０１２７】
そのうち、該端末機器９１０は、上記方法での端末機器によって実現される相応の機能を実現するために使用することができ、および、該ネットワーク機器９２０は、上記方法でのネットワーク機器によって実現される相応の機能を実現するために使用することができ、簡潔のため、ここでは説明を省略する。
【０１２８】
理解すべきものとして、本願の実施例に係るプロセッサは、１種の信号処理能力を持つ集積回路チップである可能性がある。実現過程には、上記方法の実施例の各ステップは、プロセッサにおけるハードウェアの集積ロジック回路またはソフトウェア形の命令によって完成させられることができる。上記のプロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）または他のプログラマブルロジックデバイス、ディスクリートゲートまたはトランジスタロジックデバイス、離散ハードウェアコンポーネントなどであってもよい。本願の実施例で開示された各方法、ステップ及びロジックブロック図を実現又は実行することができる汎用プロセッサが、マイクロプロセッサであってもよく、又は、該プロセッサが、任意の従来のプロセッサなどであってもよい。本願の実施例に合わせて開示された方法のステップは、ハードウェアデコードプロセッサによる実行完了、又は、デコードプロセッサにおけるハードウェアとソフトウェアモジュールの組み合わせによる実行完了と直接具体化されることができる。ソフトウェアモジュールが、ランダムアクセスメモリ、フラッシュメモリ、読み取り専用メモリ、プログラマブル読み取り専用メモリまたは電気的消去可能プログラマブルメモリ、レジスタなど本領域の成熟した記憶媒体にあってもよい。該記憶媒体がメモリにあり、プロセッサがメモリ内の情報を読み取り、そのハードウェアを組み合わせて上記方法のステップを完了させる。
【０１２９】
本願の実施例におけるメモリは揮発性メモリ又は不揮発性メモリ、又は揮発性メモリと不揮発性メモリの両者を含んでもよいと理解できる。そのうち、不揮発性メモリが読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  Ｒｏｍ、ＰＲＯＭ）、消去可能プログラマブル読み取り専用メモリ（Ｅｒａｓａｂｌｅ  ＰＲＯＭ、ＥＰＲＯＭ）、電気的消去可能プログラマブル読み取り専用メモリ（Ｅｌｅｃｔｒｉｃａｌｌｙ  ＥＰＲＯＭ、ＥＥＰＲＯＭ）、又はフラッシュメモリであってもよい。揮発性メモリが外部キャッシュとして使用されるランダムアクセスメモリ（Ｒａｎｄｏｍ  Ａｃｃｅｓｓ  Ｍｅｍｏｒｙ、ＲＡＭ）であってもよい。限定的ではなく例示的な説明により、数多くの形のＲＡＭ、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレートの同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、強化型同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ）などが利用できる。本明細書で説明したシステムと方法のメモリは、これら及びこの他の任意の適切なタイプのメモリを含むが、これらに限定されないことを意図している。
【０１３０】
理解すべきものとして、上記メモリは、制限的なものではなく、例示的なものであり、例えば、本願の実施例におけるメモリはまた、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレートの同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、強化型同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈ  ｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ）などであってもよい。つまり、本願の実施例におけるメモリは、これら及びこの他の任意の適切なタイプのメモリを含むが、これらに限定されないことを意図している。
【０１３１】
本願の実施例は、さらに、コンピュータプログラムを記憶するためのコンピュータ可読記憶媒体を提供する。
【０１３２】
選択的に、該コンピュータ可読記憶媒体は、本願の実施例におけるネットワーク機器に応用されることができ、且つ、コンピュータは、該コンピュータプログラムによって本願の実施例の各方法でのネットワーク機器によって実現される相応のフローを実行するようになり、簡潔のため、ここでは説明を省略する。
【０１３３】
選択的に、該コンピュータ可読記憶媒体は、本願の実施例における端末機器に応用されることができ、且つ、コンピュータは、該コンピュータプログラムによって本願の実施例の各方法でのモバイル端末／端末機器によって実現される相応のフローを実行するようになり、簡潔のため、ここでは説明を省略する。
【０１３４】
本願の実施例は、さらに、コンピュータプログラム命令を含むコンピュータプログラム製品を提供する。
【０１３５】
選択的に、該コンピュータプログラム製品は、本願の実施例におけるネットワーク機器に応用されることができ、且つ、コンピュータは、該コンピュータプログラム命令によって本願の実施例の各方法でのネットワーク機器によって実現される相応のフローを実行するようになり、簡潔のため、ここでは説明を省略する。
【０１３６】
選択的に、該コンピュータプログラム製品は、本願の実施例における端末機器に応用されることができ、且つ、コンピュータは、該コンピュータプログラム命令によって本願の実施例の各方法でのモバイル端末／端末機器によって実現される相応のフローを実行するようになり、簡潔のため、ここでは説明を省略する。
【０１３７】
本願の実施例は、さらに、コンピュータプログラムを提供する。
【０１３８】
選択的に、該コンピュータプログラムは、本願の実施例におけるネットワーク機器に応用されることができ、該コンピュータプログラムがコンピュータで実行されるとき、コンピュータに本願の実施例の各方法でのネットワーク機器によって実現される相応のフローを実行させ、簡潔のため、ここでは説明を省略する。
【０１３９】
選択的に、該コンピュータプログラムは、本願の実施例における端末機器に応用されることができ、該コンピュータプログラムがコンピュータで実行されるとき、コンピュータに本願の実施例の各方法での端末機器によって実現される相応のフローを実行させ、簡潔のため、ここでは説明を省略する。
【０１４０】
当業者は、本明細書で開示される実施例に合わせて説明される各例示的なユニット及びアルゴリズムステップが、電子ハードウェア、又はコンピューターソフトウェアと電子ハードウェアの組み合わせによって実施できると意識することができる。これらの機能がハードウェアで実行されるか、ソフトウェアで実行されるかは、技術的解決手段の特定のアプリケーションと設計上の制約条件に依存する。専門の技術者は、特定のアプリケーションごとに異なる方法を使用して説明した機能を実現することができるが、このような実現は、本願の範囲を超えると見なされるべきではない。
【０１４１】
当業者は、説明の便宜と簡潔のために、上記説明したシステム、装置、及びユニットの具体的作業プロセスは、前述した方法の実施例の対応するプロセスを参照することができると明確に理解することができ、ここでは説明を省略する。
【０１４２】
本願に係るいくつかの実施例において、開示したシステム、装置、及び方法は、他の形態で実現できると理解すべきである。例えば、以上、説明した装置の実施例は概略的なものにすぎず、例えば、前記ユニットの分割は、ロジック機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、表示又は検討した互いの結合又は直接的な結合又は通信接続は、いくつかのインタフェース、装置又はユニットを介した間接的結合又は通信接続としてもよく、電気的形態、機械的形態又はその他の形態としてもよい。
【０１４３】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際のニーズに応じて、その一部のユニット、又はすべてのユニットを選択して本実施例の解決手段の目的を達成することができる。
【０１４４】
なお、本願の各実施例における各機能ユニットが１つの処理ユニットに集積されてもよいが、各ユニットが単独で物理的な部品として存在するか、又は２つ以上のユニットが１つのユニットに集積されてもよい。
【０１４５】
前記機能がソフトウェア機能ユニットの形で実施され、独立した製品として販売または使用される場合、１つのコンピュータ読み取り可能な記憶媒体に記憶されることができる。このような理解に基づき、本願の実施例の技術的解決手段は、本質的に、または従来の技術に寄与する部分であるか、当該技術的解決手段の一部が、ソフトウェア製品の形で具現化されることができ、該コンピューターソフトウェア製品は、１つの記憶媒体に記憶され、コンピューターデバイス（パーソナルコンピューター、サーバー、又はネットワークデバイスなどであってもよい）に、本願の各実施例で説明した方法のステップのすべて又は一部を実行させるためのいくつかの命令を含む。前述した記憶媒体は、Ｕディスク、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又はコンパクトディスクなどプログラムコードを記憶できる様々な媒体を含む。
【０１４６】
以上の内容は、本願の具体的な実施形態にすぎず、本願の保護範囲はこれらに限定されず、当業者であれば、本願で開示される技術的範囲内に、容易に想像しうるすべての変更又は置換は、いずれも本願の保護範囲内に含まれるべきである。したがって、本願の保護範囲は、特許請求の範囲の保護範囲に従うものとする。
【図１】
2021533628.tif 000006
【図２】
2021533628.tif 000007
【図３】
2021533628.tif 000008
【図４】
2021533628.tif 000009
【図５】
2021533628.tif 000010
【図６】
2021533628.tif 000011
【図７】
2021533628.tif 000012
【図８】
2021533628.tif 000013
【図９】
2021533628.tif 000014
【図１０】
2021533628.tif 000015
【図１１】
2021533628.tif 000016
【図１２】
2021533628.tif 000017
【国際調査報告】
2021533628.tif 000018
2021533628.tif 000019